(57)【要約】【課題】  時計飾りの脚部嵌合構造において、飾りが抜けやすい、或いは、ガタツキを抑えにくいという各欠点を解消することのできる時計飾りの脚部嵌合構造を提供すること。【解決手段】  時計正面に飾り５０を取付けた時計において、飾り５０は、飾り部５１の裏面に爪部５３を備えた脚部５２を設けるものであって、脚部５２は、時計支持板３の、爪受け部を備えた嵌合部３４に着脱可能に設けられ、爪部５３は、嵌合部３４に圧入される際に当該嵌合部３４の前記爪受け部と摺接する第１傾斜部５３ａと、当該嵌合部３４に嵌合した際に当該爪受け部と摺接する第２傾斜部５３ｂとを備え、第１傾斜部５３ａと第２傾斜部５３ｂとの間に、脚部５２の圧入方向と直交する平面部５３ｃを設けた。【選択図】  図１０
2016033498.tif 000002
【特許請求の範囲】
【請求項１】
時計正面に飾り５０を取付けた時計において、前記飾り５０は、飾り部５１の裏面に爪部５３を備えた脚部５２を設けるものであって、前記脚部５２は、時計支持板３の、爪受け部を備えた嵌合部３４に着脱可能に設けられ、前記爪部５３は、前記嵌合部３４に圧入される際に当該嵌合部３４の前記爪受け部と摺接する第１傾斜部５３ａと、当該嵌合部３４に嵌合した際に当該爪受け部と摺接する第２傾斜部５３ｂとを備え、更に、前記第１傾斜部５３ａと前記第２傾斜部５３ｂとの間に、前記脚部５２の圧入方向と直交する平面部５３ｃを設けたことを特徴とする時計飾りの脚部嵌合構造。
【請求項２】
前記脚部５２と前記嵌合部３４との嵌合を外すための取り外し冶具６０を用いるものであって、時計支持板３の裏面側から前記取り外し冶具６０の先端を前記嵌合部３４に対し挿入可能となるように時計支持板３の飾り装着部３５の裏面には空隙部３６が設けられていることを特徴とする請求項１記載の時計飾りの脚部嵌合構造。
【請求項３】
前記取り外し冶具６０は、その先端に傾斜片６１付きの窪み部６２を備え、この窪み部６２を前記一対の爪部５３，５３の前記第１傾斜部５３ａ，５３ａに摺接させて前記一対の脚部５２，５２を接近する方向に撓ませ得ることを特徴とする請求項２記載の時計飾りの脚部嵌合構造。
【発明の詳細な説明】
【技術分野】
【０００１】
本発明は、からくり時計などに設けられる時計飾りの脚部における嵌合構造の改良に関する。
【背景技術】
【０００２】
従来、文字板などを回転させるいわゆる回転系のからくり時計（特許文献１）において、飾りや装飾部材を時計表面に配置するものが知られている。この種の飾りには、背面側に先端爪を備えた脚部を設けて、この爪を、時計支持板の嵌合部に嵌合されることにより、当該飾りを時計支持板に固定させている。
【先行技術文献】
【特許文献】
【０００３】
【特許文献１】特開２０１３−２４８３１号公報
【発明の概要】
【発明が解決しようとする課題】
【０００４】
従来の時計飾りは、例えば図１３に示すように、飾り７０の飾り部７１の裏面に、爪部７３を備えた脚部７２を設け、爪部７３に傾斜部７４を設けたもの（図１３（ａ））や、爪部７３にフラット部７５を設けたもの（図１３（ｂ））が知られている。この種従来の時計の飾り７０において、脚部７２は、図１４に示すように、時計支持板３の嵌合部３４に着脱可能に設けられる。
【０００５】
ところが、飾り７０のうち、爪部７３に傾斜部７４を設けたものは、時計支持板３の嵌合部３４において常時、圧入状態で嵌合しているが、飾り７０を引張ったときに、抜けやすい不都合がある。この点、爪部７３にフラット部７５を設けたものは、引張ったときに抜けにくいという利点はあるが、ガタツキを抑えにくい不具合がある。
【０００６】
本発明は、上記事情に鑑みてなされたもので、上記従来の飾りにおいて、傾斜部やフラット部を設けた爪部の各利点を承継しながら、上記各欠点を解消することのできる時計飾りを提供するものである。
【課題を解決するための手段】
【０００７】
本願第１請求項に記載した発明は、実施例で用いた符号を付して記すと、時計正面に飾り５０を取付けた時計において、前記飾り５０は、飾り部５１の裏面に爪部５３を備えた脚部５２を設けるものであって、前記脚部５２は、時計支持板３の、爪受け部を備えた嵌合部３４に着脱可能に設けられ、前記爪部５３は、前記嵌合部３４に圧入される際に当該嵌合部３４の前記爪受け部と摺接する第１傾斜部５３ａと、当該嵌合部３４に嵌合した際に当該爪受け部と摺接する第２傾斜部５３ｂとを備え、更に、前記第１傾斜部５３ａと前記第２傾斜部５３ｂとの間に、前記脚部５２の圧入方向と直交する平面部５３ｃを設けたことを特徴とする時計飾りの脚部嵌合構造である。
【０００８】
本願第２請求項に記載した発明は、請求項１において、前記脚部５２と前記嵌合部３４との嵌合を外すための取り外し冶具６０を用いるものであって、時計支持板３の裏面側から前記取り外し冶具６０の先端を前記嵌合部３４に対し挿入可能となるように時計支持板３の飾り装着部３５の裏面には空隙部３６が設けられていることを特徴とする時計飾りの脚部嵌合構造である。
【０００９】
本願第３請求項に記載した発明は、請求項２において、前記取り外し冶具６０は、その先端に傾斜片６１付きの窪み部６２を備え、この窪み部６２を前記一対の爪部５３，５３の前記第１傾斜部５３ａ，５３ａに摺接させて前記一対の脚部５２，５２を接近する方向に撓ませ得ることを特徴とする時計飾りの脚部嵌合構造である。
【発明の効果】
【００１０】
本願第１請求項に記載した発明は、飾り５０の脚部５２が時計支持板３の嵌合部３４に挿入されると、爪部５３の第１傾斜部５３ａが、当該嵌合部３４の前記爪受け部と摺接しながら嵌め合わされ、この嵌合部３４に嵌合した際に爪部５３の第２傾斜部５３ｂが当該爪受け部と圧接しながら摺接するので、圧入された嵌合状態が具現化される。そして、飾り５０が引張られても、平面部５３ｃが設けられているので、飾り５０の爪部５３が嵌合部３４の前記爪受け部に当接して、飾り５０の抜けが阻止される。
【００１１】
本願第２請求項に記載した発明は、取り外し冶具６０を用いる場合、時計支持板３の飾り装着部３５の裏面に空隙部３６が設けられているので、時計支持板３の裏面側から、取り外し冶具６０の先端を前記嵌合部３４に挿入することができる。
【００１２】
本願第３請求項に記載した発明は、取り外し冶具６０の先端に傾斜片６１付きの窪み部６２を備えて、この窪み部６２を前記一対の爪部５３，５３の第１傾斜部５３ａ，５３ａに摺接させて前記一対の脚部５２，５２を接近する方向に撓ませれば、飾り５０の平面部５３ｃが、嵌合部３４の前記爪受け部から外れるので、飾り５０を時計支持板３から外すことができる。
【００１３】
この場合、平面部５３ｃにおける面の間隔ｔが、当該前記一対の脚部５２，５２の部位が撓む間隔よりも小さく形成されていると、時計支持板３からの飾り５０の取り外しが円滑になされ得ることとなる。
【図面の簡単な説明】
【００１４】
【図１】本発明が実施される、からくり時計の正面図である。
【図２】本発明が実施される、からくり時計の縦断面概略図である。
【図３】本発明が実施される、からくり時計の要部正面図である。
【図４】本発明が実施される、からくり時計の要部斜視図である。
【図５】本発明が実施される、からくり時計の輪列構成を示す斜視図である。
【図６】本発明が実施される、からくり時計の時計文字板を示す図で、（１）は正面図、（２）は一部破断側面図である。
【図７】本発明の実施例に係り、飾りの脚部を示す縦断面図である。
【図８】本発明の実施例に係り、飾りの脚部と時計支持板の飾り装着部を示す要部斜視図である。
【図９】本発明の実施例に係り、（ａ）は飾りを示す平面図、（ｂ）は（ａ）のＸ−Ｘ矢視断面図、（ｃ）は（ａ）のＹ−Ｙ矢視断面図、（ｄ）は飾りを示す縦断面図、（ｅ）は時計支持板の飾り装着部を示す縦断面図である。
【図１０】本発明の実施例に係り、飾りの脚部と時計支持板の飾り装着部との嵌合状態を示す縦断面図である。
【図１１】本発明の実施例に係り、（ａ）は取り外し冶具を示す一部縦断正面図、（ｂ）は取り外し冶具の側面図である。
【図１２】本発明の実施例に係り、（ａ）は飾りと取り外し冶具を示す一部縦断正面図、（ｂ）は飾りを示す縦断面図である。
【図１３】従来例に係り、（ａ）及び（ｂ）は共に飾りの脚部を示す縦断面図である。
【図１４】従来例に係り、（ａ）は飾りの脚部と時計支持板の飾り装着部との嵌合状態を示す縦断面図、（ｂ）は他の飾りの脚部と時計支持板の飾り装着部との嵌合状態を示す縦断面図である。
【発明を実施するための最良の形態】
【００１５】
以下に、本発明の実施例を図面に基づいて説明する。まず、本発明が実施されている本例のからくり時計について説明すると、このからくり時計１は、時計文字板２が回転する形式のものである。時計文字板２は、中央部を切り欠き形成したリング状板２ａで構成され、文字板２の背面側には、リング歯車２ｂ設ける。尚、図２において、１ａはムーブメントである。
【００１６】
時計支持板３には、時計文字板２を回転駆動させるモータユニットＭを備える。前記モータユニットＭは、モータの回転軸に駆動連係する輪列４を備える。本例では、モータユニットＭは時計の下部に設けられており、輪列４は、時計の正面視において左側に設けられている。
【００１７】
輪列４には、駆動歯車４ａが設けられており、この駆動歯車４ａは、文字板２のリング歯車２ｂと噛み合う。
【００１８】
前記リング歯車２ｂと、輪列４の駆動歯車４ａとが噛み合う箇所の時計支持板３には、リング歯車２ｂを外周側から支持するプーリー５を設けている。このように、プーリー５を、輪列４の駆動歯車４ａと噛み合う箇所に設けているので、当該箇所の噛み合い状態が保持され、安定した噛み合い関係が得られる。
【００１９】
尚、輪列４は、更に第２輪列４０と噛み合い、当該第２輪列４０は、回転飾り１０を回転させるためのギア１１，１１の１つと噛み合っている。各ギア１１，１１は、時計指針軸６の箇所を回転中心とする円板ギア９に噛み合っている。
【００２０】
このように、モータユニットＭから、輪列４、駆動歯車４ａ及びリング歯車２ｂ、つまり文字板２を回転させる駆動経路と、輪列４、第２輪列４０、ギア１１及び円板ギア９を介して他のギア１１，１１、つまり回転飾り１０，１０を回転させる駆動経路とを備えているので、後述するようにからくり動作時（各正時）に、１つのモータユニットＭにより、複数の部材（文字板２、回転飾り１０）を一度に作動させることができる（図３、図５参照）。
【００２１】
尚、図１において、時計正面下部に設けられている１１ａは、常時回転歯車で、図示を省略した別のモータにより、前記回転飾り１０，１０とは異なり、常時回転している。この常時回転歯車１１ａの存在により、時計が作動していることが示されるとともに、からくり時計の動的な趣を醸し出すことができる。
【００２２】
更に、本例のからくり時計１には、第２のプーリー７が設けられている。即ち、前記リング歯車２ｂを支持する前記プーリー５は、時計指針軸６を通る仮想鉛直線を外れる位置に設けられている。この例では、プーリー５は文字板の８時に対応する箇所の時計支持板３に設けられている。そして、前記仮想鉛直線に対し線対称となる前記プーリー５の反対側の時計支持板３には、本例では文字板の４時に対応する箇所に、前記リング歯車２ｂを支持する第２のプーリー７が設けられている。
【００２３】
このように、リング歯車を支持するプーリー５と、仮想鉛直線に対し線対称となる当該プーリー５の反対側の時計支持板３に、第２のプーリー７が設けられているので、これら第１、第２のプーリーによって、より一層文字板の保持が良好になされ得る。
【００２４】
また、本例のからくり時計１には、文字板の３時及び９時に対応する箇所の時計支持板３に、文字板２のリング歯車２ｂの外周縁と係合して当該文字板２を支持するプーリー８，８が設けられている。
【００２５】
次に、本発明に係る時計飾りの脚部嵌合構造について図７〜図１２を参照して説明する。
【００２６】
本例の飾り５０は、表面に飾り部５１を設け、この飾り部５１の裏面に脚部５２を設けている。脚部５２には、爪部５３が備えられている。
【００２７】
更に、前記爪部５３は、第１傾斜部５３ａと、第２傾斜部５３ｂとを備え、更に、前記第１傾斜部５３ａと前記第２傾斜部５３ｂとの間に、前記脚部５２の圧入方向と直交する平面部５３ｃを設けている。
【００２８】
また、時計支持板３には、飾り５０を取付ける飾り装着部３５が設けられている。飾り装着部３５には飾り５０の嵌合部３４が設けられており、この嵌合部３４には、飾り５０の爪部５３を係止する爪受け部が備えられている。
【００２９】
前記飾り５０と時計支持板３との関係は次のとおりである。すなわち、飾り５０は、時計支持板３の嵌合部３４に着脱可能に設けられるものであって、前記爪部５３は、その第１傾斜部５３ａが、嵌合部３４に圧入される際に当該嵌合部３４の前記爪受け部と摺接する。爪部５３の第２傾斜部５３ｂは、嵌合部３４に嵌合した際に前記爪受け部と摺接する。また、爪部５３の平面部５３ｃは、後述するように、飾り５０が引張られた際において、飾り５０の抜けを阻止する機能を奏する。
【００３０】
本例では、図８〜図１０に示すように、飾り５０の爪部５３は、その基部をＲ形状に形成するとともにその一対の爪部５３の基部を連結する部位を円弧状に形成している。また、飾り装着部３５は、時計支持板３から正面側へ膨出する形状に形成し、二割状の突出部とその下部に位置する嵌合部３４で構成し、嵌合部３４は通孔状の部位と、この部位の下端に、爪部５３を係止する爪受け部とを設けている。前記二割状の突出部に、爪部５３の基部が外嵌めされるので、爪部５３と嵌合部３４の装着状態が安定化され得る。
【００３１】
以上のように、本発明において、飾り５０の脚部５２が時計支持板３の嵌合部３４に挿入されると、爪部５３の第１傾斜部５３ａが、当該嵌合部３４の前記爪受け部と摺接しながら嵌め合わされ、この嵌合部３４に嵌合した際に爪部５３の第２傾斜部５３ｂが当該爪受け部と圧接しながら摺接するので、圧入された嵌合状態が具現化される。そして、飾り５０が引張られても、平面部５３ｃが設けられているので、飾り５０の爪部５３が嵌合部３４の前記爪受け部に当接して、飾り５０の抜けが阻止される。
【００３２】
また、本例の時計飾りの脚部嵌合構造には、脚部５２と嵌合部３４との嵌合を外すための取り外し冶具６０を用いる。そのため、支持板３の裏面側から前記取り外し冶具６０の先端を前記嵌合部３４に対し挿入可能となるように時計支持板３の飾り装着部３５の裏面には空隙部３６が設けられている。
【００３３】
この取り外し冶具６０を用いる場合、時計支持板３の飾り装着部３５の裏面に空隙部３６が設けられているので、支持板３の裏面側から、取り外し冶具６０の先端を前記嵌合部３４に挿入することができる。
【００３４】
更に、図１１に示すように、取り外し冶具６０は、その先端に傾斜片６１付きの窪み部６２を備える。この窪み部６２を前記一対の爪部５３，５３の前記第１傾斜部５３ａ，５３ａに摺接させれば、図１２に示すように、前記一対の脚部５２，５２を接近する方向に撓ませることができる。
【００３５】
このように、取り外し冶具６０の窪み部６２を前記一対の爪部５３，５３の第１傾斜部５３ａ，５３ａに摺接させて前記一対の脚部５２，５２を接近する方向に撓ませれば、飾り５０の平面部５３ｃが、嵌合部３４の前記爪受け部から外れるので、飾り５０を時計支持板３から外すことができる。
【００３６】
この場合、前述したように、平面部５３ｃにおける面の間隔ｔが、当該前記一対の脚部５２，５２の部位が撓む間隔よりも小さく形成されていると、時計支持板３からの飾り５０の取り外しが円滑になされ得ることとなる。
【００３７】
本発明は、以上の実施形態のものに限られずに、前記飾り５０は、飾り部５１の裏面に爪部５３を備えた脚部５２を設けるものであって、前記脚部５２は、時計支持板３の、爪受け部を備えた嵌合部３４に着脱可能に設けられ、前記爪部５３は、前記嵌合部３４に圧入される際に当該嵌合部３４の前記爪受け部と摺接する第１傾斜部５３ａと、当該嵌合部３４に嵌合した際に当該爪受け部と摺接する第２傾斜部５３ｂとを備え、更に、前記第１傾斜部５３ａと前記第２傾斜部５３ｂとの間に、前記脚部５２の圧入方向と直交する平面部５３ｃを設けた時計飾りの脚部嵌合構造であればよく、その他いかなる実施形態を施してもよいものである。
【産業上の利用可能性】
【００３８】
本発明の時計飾りの脚部嵌合構造は、壁掛け時計、置き時計、目覚し時計に好適に利用することができる。
【符号の説明】
【００３９】
１    からくり時計
１ａ    ムーブメント
２    時計文字板
２ａ    リング状板
２ｂ    リング歯車
３    時計支持板
４    輪列
４ａ    駆動歯車
５    プーリー
６    時計指針軸
７    プーリー
８    プーリー
９    円板ギア
１０    回転飾り
１１    ギア
１１ａ    常時回転歯車
３４    嵌合部
３５    飾り装着部
３６    空隙部
４０    第２輪列
５０    飾り
５１    飾り部
５２    脚部
５３    爪部
５３ａ    第１傾斜部
５３ｂ    第２傾斜部
５３ｃ    平面部
６０    取り外し冶具
６１    傾斜片
６２    窪み部
７０    飾り
７１    飾り部
７２    脚部
７３    爪部
７４    傾斜部
７５    フラット部
Ｍ    モータユニット
ｔ    間隔
【図１】
2016033498.tif 000003
【図２】
2016033498.tif 000004
【図３】
2016033498.tif 000005
【図４】
2016033498.tif 000006
【図５】
2016033498.tif 000007
【図６】
2016033498.tif 000008
【図７】
2016033498.tif 000009
【図８】
2016033498.tif 000010
【図９】
2016033498.tif 000011
【図１０】
2016033498.tif 000012
【図１１】
2016033498.tif 000013
【図１２】
2016033498.tif 000014
【図１３】
2016033498.tif 000015
【図１４】
2016033498.tif 000016